(57)【要約】【課題】複数の列をなして搬送されて来るシートを単一のカッタで切断処理可能とした構成が簡素で廉価なシート用カッタ装置を提供する。【解決手段】複数のシート１２を複数列で搬送する多列搬送方式の搬送路上にカッタ１０を配置し、少なくともカッタ１０より搬送方向上流側又は下流側に、多列搬送方式の搬送路の全列に渡る複数のシート１２を一体的に搬送させる複数シート同時搬送手段８８を配置して構成し、多列搬送方式の搬送路の各列毎に搬送されてくる各シート１２を切断する動作を行う。部品点数が多く高価な搬送列独立搬送手段７４、７６に代えて複数シート同時搬送手段８８を利用することにより、装置全体として構成を簡素にし廉価な製品を提供できる。【選択図】  図１
2005028500.tif 000002
【特許請求の範囲】
【請求項１】
複数のシートを複数列で搬送する多列搬送方式の搬送路と、
前記多列搬送方式の搬送路上に配置されたカッタと、
前記カッタより搬送方向上流側に配置され、前記シートを各列毎に独立して搬送する、搬送列独立搬送手段と、
前記カッタより搬送方向下流側に配置され、前記シートを全列一体的に搬送する複数シート同時搬送手段と、を有することを特徴とするシート用カッタ装置。
【請求項２】
複数のシートを複数列で搬送する多列搬送方式の搬送路と、
前記多列搬送方式の搬送路上に配置されたカッタと、
前記カッタより搬送方向上流側に配置され、前記シートを全列一体的に搬送する複数シート同時搬送手段と、
前記カッタより搬送方向下流側に配置され、前記シートを各列毎に独立して搬送する、搬送列独立搬送手段と、を有することを特徴とするシート用カッタ装置。
【請求項３】
複数のシートを複数列で搬送する多列搬送方式の搬送路と、前記多列搬送方式の搬送路を横断して配置された固定刃に沿って移動刃を圧接させながら移動させ、往路と帰路とで前記シートを切断可能なカッタと、
前記カッタより搬送方向上流側に配置され、前記多列搬送方式の搬送路の全列に渡る複数の前記シートを一体的に搬送させる複数シート同時搬送手段と、
前記カッタより搬送方向下流側に配置され、前記多列搬送方式の搬送路の全列に渡る複数の前記シートを一体的に搬送させる複数シート同時搬送手段と、を有することを特徴とするシート用カッタ装置。
【請求項４】
前記カッタが、前記多列搬送方式の搬送路における幅以上の長さの固定刃と、当該固定刃に圧接させながら移動して前記シートを切断する移動刃とで構成されたことを特徴とする請求項１乃至請求項３の何れかに記載のシート用カッタ装置。
【請求項５】
前記カッタが、前記多列搬送方式の搬送路における幅以上の長さの固定刃と、当該固定刃に圧接させながら移動して前記シートを切断する移動刃とで構成されると共に、前記移動刃の長さが、前記シートの列間隔より短いことを特徴とする請求項１乃至請求項３の何れかに記載のシート用カッタ装置。
【請求項６】
前記カッタが、前記搬送路上を搬送されて来た各シートのスキュー状態に合わせて、搬送方向に対して傾くよう調整するチルト補正手段を有することを特徴とする請求項１乃至請求項３の何れかに記載のシート用カッタ装置。
【発明の詳細な説明】
【０００１】
【発明の属する技術分野】
この発明は、写真プリントを出力する画像形成装置に装着されて、多列搬送方式の搬送路上を搬送されて来るシートを所定サイズに切り揃えて写真プリントを切り出す等の切断処理に用いて好適な、シート用カッタ装置に関する。
【０００２】
【従来の技術】
従来のシート用カッタ装置には、画像形成装置に装着されて、感光材料のロールを収容したロールマガジンから繰り出された感光材料を所定サイズに切断するものがある。
【０００３】
このようなシート用カッタ装置では、例えば、感光材料のロールを収容した２つのロールマガジンの各ロールマガジンからそれぞれ感光材料を繰り出してカッタに給送する給送部材が設けられている。
【０００４】
この給送部材により給送された感光材料を幅方向に切断するカッタは、２つのロールマガジンから給送部材により給送された感光材料を同時に切断するように、１つだけ設けられている。このカッタで切断された感光材料を搬送する搬送手段は、２つのロールマガジンの各ロールマガジン毎に設けられている。
【０００５】
なお、この画像形成装置には、各ロールマガジン毎に設けられた搬送手段によりそれぞれ搬送される２つの感光材料に、それぞれ出力画像データに基づき出力画像を露光する露光手段が設けられている（例えば、特許文献１及び特許文献２参照。）。
【０００６】
【特許文献１】
特開平６−３４７９１４号公報
【特許文献２】
特開平１１−７２８５５公報
【０００７】
【発明が解決しようとする課題】
上述のような画像形成装置に装着されたシート用カッタ装置では、感光材料をカッタに対して搬送方向上流側から下流側へ搬送する搬送手段を各ロールマガジン毎に設けると搬送手段の構成が複雑になると共に、各搬送手段毎に搬送制御を行うと搬送制御が全体として複雑になる。また、広幅の感光材料を搬送する所に複数の狭幅の感光材料を搬送幅方向に並べて搬送することができないという問題がある。
【０００８】
本発明は前述の事実を考慮し、複数の列をなして搬送されて来るシートを単一のカッタで合理的に切断処理可能とした、構成が簡素で廉価なシート用カッタ装置を新たに提供することを目的とする。
【０００９】
【課題を解決するための手段】
本発明の請求項１に記載のシート用カッタ装置は、複数のシートを複数列で搬送する多列搬送方式の搬送路と、多列搬送方式の搬送路上に配置されたカッタと、カッタより搬送方向上流側に配置され、シートを各列毎に独立して搬送する、搬送列独立搬送手段と、カッタより搬送方向下流側に配置され、シートを全列一体的に搬送する複数シート同時搬送手段と、を有することを特徴とする。
【００１０】
本発明の請求項２に記載のシート用カッタ装置は、複数のシートを複数列で搬送する多列搬送方式の搬送路と、多列搬送方式の搬送路上に配置されたカッタと、カッタより搬送方向上流側に配置され、シートを全列一体的に搬送する複数シート同時搬送手段と、カッタより搬送方向下流側に配置され、シートを各列毎に独立して搬送する、搬送列独立搬送手段と、を有することを特徴とする。
【００１１】
本発明の請求項３に記載のシート用カッタ装置は、複数のシートを複数列で搬送する多列搬送方式の搬送路と、多列搬送方式の搬送路を横断して配置された固定刃に沿って移動刃を圧接させながら移動させ、往路と帰路とでシートを切断可能なカッタと、カッタより搬送方向上流側に配置され、多列搬送方式の搬送路の全列に渡る複数のシートを一体的に搬送させる複数シート同時搬送手段と、カッタより搬送方向下流側に配置され、多列搬送方式の搬送路の全列に渡る複数のシートを一体的に搬送させる複数シート同時搬送手段と、を有することを特徴とする。
【００１２】
前述のように構成することにより、多列搬送方式の搬送路における少なくともカッタの上流側又は下流側に複数シート同時搬送手段を配置してシート用カッタ装置を構成し、多列搬送方式の搬送路の各列毎に搬送されてくる各シートを切断する動作を行える。よって、このように構成したシート用カッタ装置では、部品点数が多く高価な搬送列独立搬送手段に代えて複数シート同時搬送手段を利用することにより、装置全体として構成を簡素にし廉価な製品を提供できる。
【００１３】
請求項４に記載の発明は、請求項１乃至請求項３の何れかに記載のシート用カッタ装置において、カッタが、多列搬送方式の搬送路における幅以上の長さの固定刃と、固定刃に圧接させながら移動してシートを切断する移動刃とで構成されたことを特徴とする。
【００１４】
上述のように構成することにより、前述した請求項１乃至請求項３の何れかに記載のシート用カッタ装置における作用、効果に加えて、多列搬送方式の搬送路を搬送されてくるシートを、全列に渡って単一のカッタで切断することができる。さらに、多列搬送方式の複数の搬送路に渡って幅広のシートが搬送されてくる場合でも、この幅広のシートを単一のカッタで切断することができる。
【００１５】
請求項５に記載の発明は、請求項１乃至請求項３の何れかに記載のシート用カッタ装置において、カッタが、多列搬送方式の搬送路における幅以上の長さの固定刃と、固定刃に圧接させながら移動してシートを切断する移動刃とで構成されると共に、移動刃の長さが、シートの列間隔より短いことを特徴とする。
【００１６】
上述のように構成することにより、前述した請求項１乃至請求項３の何れかに記載のシート用カッタ装置における作用、効果に加えて、多列搬送方式の一部の搬送列を搬送されてくるシートを切断してから、搬送列の間で移動刃を待機させた状態で所要の搬送列上でシートを次の切断位置まで搬送し、移動刃を動作させて切断することができるから、切断動作を合理的に連続させて迅速に切断処理を行うことができる。
【００１７】
請求項６に記載の発明は、請求項１乃至請求項３の何れかに記載のシート用カッタ装置において、カッタが、搬送路上を搬送されて来た各シートのスキュー状態に合わせて、搬送方向に対して傾くよう調整するチルト補正手段を有することを特徴とする。
【００１８】
上述のように構成することにより、前述した請求項１乃至請求項３の何れかに記載のシート用カッタ装置における作用、効果に加えて、カッタが、搬送路上を搬送されて来た各シートのスキュー状態に合わせて、搬送方向に対して傾くよう調整するチルト補正処理をしてから切断処理を行うようにして、シートを例えば直角に切断するときの切断精度を向上することができる。
【００１９】
【発明の実施の形態】
本発明の実施の形態に係るシート用カッタ装置について、図１乃至図１８を参照しながら説明する。
【００２０】
本実施の形態に係るシート用カッタ装置は、例えば画像形成装置本体に装着し又は一体に構成して利用されるもので、画像形成装置本体内において、ロール状に巻回された長尺シート状の被処理物である感光材料を搬送路上に引き出した状態で所定サイズに切り分ける等の切断処理に用いて好適なシート用カッタ装置として構成する。
【００２１】
図１に示すように、このシート用カッタ装置は、複数の列（本実施の形態では、２列）をなして搬送されて来る複数の被切断物である長尺のシート１２Ａ、１２Ｂのそれぞれを、単一のサーキュラカッタ１０で切断するように構成する。なお、このサーキュラカッタ１０は、印画紙等の感光材料を切断するため通常使用する、いわゆるロータリーカッタで構成することができる。
【００２２】
このサーキュラカッタ１０は、図１に例示するように、シート１２Ａ、１２Ｂの搬送方向に交わる方向（シート１２Ａ、１２Ｂの幅方向）に橋渡すように配置された逆コの字状の梁部材１１を有する。この梁部材１１は、その下辺部を矩形長板状の固定刃部１４に形成し、その固定刃部１４から立ち上がる縦側面部をガイドレール部１６に形成した一体構造に構成する。
【００２３】
このガイドレール部１６には、梁部材１１の縦側面部に矩形長開口を穿設し、この矩形長開口における下側辺を、複数のシート１２Ａ、１２Ｂが複数列で搬送される搬送路における全幅方向以上の範囲に渡り固定刃部１４の刃面と平行にした摺動ガイド辺１８として形成する。
【００２４】
このガイドレール部１６には、その矩形長開口の摺動ガイド辺１８上を摺動する移動刃としての回転刃ヘッド２０を装着する。
【００２５】
この回転刃ヘッド２０は、ガイドレール部１６の摺動ガイド辺１８にガイドされて摺動自在となるように装着された摺動子部２２と、この摺動子部２２から吊り下げられる状態に一体に形成された回転刃用の支受部２４とを有する。
【００２６】
この摺動子部２２は、回転刃ヘッド２０を移動操作するための巻き掛け伝動機構であるベルト操作装置２６によってガイドレール部１６上を移動操作されるように構成する。
【００２７】
このベルト操作装置２６は、後述する図２に示した回転刃ヘッド３４を移動操作するための巻き掛け伝動機構と同様に構成するもので、ガイドレール部１６の一端部に配置した駆動モータを備えた駆動制御部２８における図示しない駆動プーリに巻回して引き出したタイミングベルトを、ガイドレール部１６の他端部に配置した図示しないプーリへ巻回して駆動制御部２８へ戻る所定の経路上で往復動作させるように構成する。
【００２８】
このベルト操作装置２６は、図示しないが、タイミングベルトの所定部所を摺動子部２２に固着することによりタイミングベルトの周回往復動作に連動して、回転刃ヘッド２０を、ガイドレール部１６における駆動制御部２８側の初期位置（ホーム）から他端部側（エンド）へ移動する際の切断動作と、回転刃ヘッド２０をガイドレール部１６の他端部から駆動制御部２８のある一端部の初期位置側へ移動する復帰動作と、を実行可能に構成する。
【００２９】
図示しないが、回転刃ヘッド２０のホーム又はエンド側を検出するセンサーをそれぞれガイドレール部１６の両端に持つ。
【００３０】
回転刃ヘッド２０の回転刃用の支受部２４は、円板状の回転刃３２を回動自由に支受し、回転刃３２の円周上に形成した刃の部分が、固定刃部１４の直線状の刃先に所定の圧力で押し付けられながら摺接されるように臨ませる。
【００３１】
これによりサーキュラカッタ１０の回転刃ヘッド２０は、これがベルト操作装置２６で切断方向に移動されると、固定刃部１４と回転刃３２との間の摩擦力で回転刃３２が回動し、この固定刃部１４の図で下側に密接されたシート１２Ａ又は１２Ｂを固定刃部１４と回動する回転刃３２との間でせん断する動作を行う。
【００３２】
この回転刃ヘッド２０は、複数列でシートを搬送する多列搬送方式の搬送路における他端部まで移動して切断動作を終了すると、ベルト操作装置２６を反転駆動させる復帰動作によって駆動制御部２８側の初期位置へ戻されて、次の切断動作に備えて待機するよう構成する。
【００３３】
さらにこの回転刃ヘッド２０は、搬送路上を複数列で搬送される各列のシート１２Ａ又は１２Ｂ毎に独立して切断動作を実行可能とするため、各列の幅方向の間で移動して切断動作と復帰動作とを行えるように構成する。
【００３４】
なお、この多列搬送方式の搬送路では、複数の列に渡る幅広のシートを搬送して、この幅広のシートをサーキュラカッタ１０で切断することも可能に構成する。
【００３５】
また、この回転刃ヘッド２０は、多列搬送方式の搬送路における搬送方向に直交する方向（幅方向）に往復移動するときの往路と帰路の両者で切断作業を実行可能とする場合には、図２及び図３に示すように構成しても良い。
【００３６】
この図２及び図３に示すサーキュラカッタ１０では、長板状に構成した固定刃部１４の下部に、移動刃としての回転刃ヘッド３４を備えた回転刃ヘッド操作装置３６を配置する。
【００３７】
この回転刃ヘッド操作装置３６は、多列搬送方式の搬送路の幅（搬送方向に直交する方向の長さ）以上の長さを有する矩形状のガイド部材３８に、回転刃ヘッド３４を移動操作可能に装着して構成する。
【００３８】
このガイド部材３８には、回転刃ヘッド３４を移動操作するための巻き掛け伝動機構を構成するために、回転刃ヘッド３４の移動方向両端部に、それぞれプーリ４２、４４を軸着する。
【００３９】
図３に示すように、その一方（図に向かって右側）のプーリ４２の回転軸には、駆動モータ４６の回転主軸４６Ａを接続し、駆動モータ４６によってプーリ４２を回転駆動可能に構成する。さらに、これら、一対のプーリ４２、４４の間には、回転刃ヘッド３４を駆動操作するための伝動ベルト４８を巻き掛けて配置する。
【００４０】
このガイド部材３８には、回転刃ヘッド３４をガイドして直線的に移動自在となるよう装着する。これと共に、回転刃ヘッド３４には、伝動ベルト４８の一部を固着する。
【００４１】
そして、この回転刃ヘッド操作装置３６では、駆動モータ４６を正転又は逆転するよう駆動制御することにより伝動ベルト４８を往復させるよう周回動作させる動作に連動して、回転刃ヘッド３４をガイド部材３８の長手方向に沿って移動操作する。
【００４２】
この回転刃ヘッド３４の本体となるヘッド本体４０は、矩形の基板４０Ａに一対の縦板４０Ｂを立設して構成する。これら一対の縦板４０Ｂの間における各所定位置には、回転軸棒５０の対応する各端部をそれぞれ軸着する。
【００４３】
この回転軸棒５０には、刃物部材５２と被動ローラ５４とを、同軸で一体に回動するよう固着して設ける。この刃物部材５２は、図２に示すように固定刃部１４の刃先に沿って回転刃ヘッド３４を摺接させながら往復移動させる動作によって、その往路と帰路の両者で切断作業を実行可能とするために、図２及び図３に示すように、円錐台形に形成し、広い円形底面の周囲を刃先に形成する。
【００４４】
また、被動ローラ５４は、例えばゴムローラ等で構成し、回転刃ヘッド３４が往復動作する際に、ガイド部材３８における内側面上に圧接された状態で転動することにより、これと一体の回転刃ヘッド３４を回動する。そして、回転刃ヘッド３４が往復動作する際に、回動する回転刃ヘッド３４と固定刃部１４の刃先との間でシート１２Ａ、１２Ｂを切断する作業を実行する。
【００４５】
また、回転刃ヘッド３４は、シート１２Ａ、１２Ｂを切断する動作を確実にするため、その刃物部材５２の刃先が固定刃部１４の刃先に所定の圧接力で摺接するように、図示しない付勢手段を設けることが望ましい。
【００４６】
また、この回転刃ヘッドは、多列搬送方式の搬送路における搬送方向に直交する方向（幅方向）に往復移動するときの往路と帰路の両者で切断作業を実行可能とする場合の他の構成例として、図４に示すように構成しても良い。
【００４７】
この図４に示す移動刃としての回転刃ヘッド本体６０は、往路用の回転刃５６と帰路用の回転刃５８とを有する。この往路用の回転刃５６は、その往路の搬送方向先端側に当たる部分が固定刃部１４の刃先に軽く圧接するように、回転刃ヘッド本体６０に対して回動自在に装着する。
【００４８】
また、帰路用の回転刃５８は、その帰路の搬送方向先端側に当たる部分が固定刃部１４の刃先に軽く圧接するように、回転刃ヘッド本体６０に対して回動自在に装着する。さらに、これら往路用の回転刃５６と帰路用の回転刃５８とには、それぞれ同軸に傘歯車６２、６４を一体に設ける。
【００４９】
さらに、回転刃ヘッド本体６０では、往路用の回転刃５６と、帰路用の回転刃５８とを、往路と帰路の移動動作に連動して回動するために、回転刃ヘッド本体６０に被回動部材６６を配置し、この被回動部材６６の回転力を中間媒介歯車６８、７０を介して駆動傘歯車７２に伝達する歯車機構を設置する。この駆動傘歯車７２は、２個の傘歯車６２、６４と同時に噛合される。
【００５０】
この回転刃ヘッド本体６０では、この被回動部材６６を固定部材の平面に転接させるよう構成し、又は図示しないワイヤを被回動部材６６に転接させるよう構成することによって、回転刃ヘッド本体６０が往復動作する際に被回動部材６６に回転駆動力を与えて、これに連動する往路用の回転刃５６と帰路用の回転刃５８とを回動させ、固定刃部１４との間でシート１２Ａ、１２Ｂを切断できるようにする。
【００５１】
図１に示すように、上述のように構成したシート用カッタ装置は、切断処理の対象となるシート１２Ａ、１２Ｂを複数の列（本実施の形態では、２列）をなして搬送する搬送路上に配置する。
【００５２】
この複数列搬送用の搬送路では、そのサーキュラカッタ１０を配置した位置から搬送方向上流側の部分で、複数の列（本実施の形態では、２列）毎にシート１２Ａ、１２Ｂ（被切断媒体）を独立して搬送させることにより、切断位置に供給する供給搬送手段の動作制御を行えるように構成する。
【００５３】
また、複数列搬送用の搬送路上には、各列の搬送路上に、被切断物であるシート１２Ａ又は１２Ｂの端部を検出するために、検出センサＳを配置する。
【００５４】
この検出センサＳは、非接触式のセンサ、又は接触式のセンサの何れで構成しても良い。また、検出センサＳは、複数列搬送用の各列の搬送路毎に配置することが望ましい。さらに、検出センサＳは、スキュー検出センサを兼ねる構成としても良い。
【００５５】
この検出センサＳは、サーキュラカッタ１０と、その搬送方向直前に配置された搬送ローラ８８Ａ、８８Ｂとの間位置に、検出センサＳを配置する。すなわち、検出センサＳとサーキュラカッタ１０との間に搬送ローラが配置されない構成とする。
【００５６】
この検出センサＳは、各列の搬送路上を搬送されて来る被切断物であるシート１２Ａ又は１２Ｂの端部を検出すると、その検出信号を図示しない制御部へ送信するよう構成する。
【００５７】
このサーキュラカッタ１０を制御する制御部では、検出センサＳの検出信号を受信すると、その検出結果から切断位置までのシート移動量を算出し、シート１２Ａ、１２Ｂを切断位置まで移動し、切断する動作制御を実行する。
【００５８】
また、上述のようにサーキュラカッタ１０が検出センサＳを利用して制御部で制御される構成では、シート１２Ａ、１２Ｂを切断する長さの基準がシート１２Ａ、１２Ｂの先端側であるため、各シート１２Ａ、１２Ｂそれぞれに対する先端位置決めを容易にできる。
【００５９】
さらに、上述のようにサーキュラカッタ１０が検出センサＳを利用して制御部で制御される構成では、検出センサＳとサーキュラカッタ１０との間に搬送ローラが配置されない構成とすることにより、検出センサＳで搬送ローラにシート１２Ａ、１２Ｂの先端を検出した後に、搬送ローラにシート１２Ａ、１２Ｂの先端が入る際の衝撃等でシート１２Ａ、１２Ｂの搬送量がずれることによりカット長に誤差を生じることがないから、サーキュラカッタ１０でシート１２Ａ、１２Ｂを切断する作業における切断精度を向上することができる。
【００６０】
また、上述のようにサーキュラカッタ１０が検出センサＳを利用して制御部で制御される構成において、検出センサＳを複数列搬送用の各列の搬送列毎に配置した場合には、検出センサＳより搬送方向上流側での搬送ローラのローラ径の寸法誤差等により発生する搬送列毎の送り量の相違を検出センサＳで検出し、制御部でこの相違を補正して駆動制御することにより、シート１２Ａ、１２Ｂを適切な切断位置で切断することができる。
【００６１】
これと共に、この複数列搬送用の搬送路では、そのサーキュラカッタ１０を配置した位置から搬送方向下流側の部分で、全列を一体的に搬送させるようにした、シート１２Ａ、１２Ｂを切断位置から退避させる退避搬送手段を構成する。
【００６２】
なお、図５に示すように、複数列搬送用の搬送路は、上述とは逆に、サーキュラカッタ１０を配置した位置から搬送方向下流側の部分で、複数の列（本実施の形態では、２列）毎にシート１２Ａ、１２Ｂを独立して搬送させる動作制御を行えるように構成（退避搬送手段）し、かつサーキュラカッタ１０を配置した位置から搬送方向上流側の部分で、全列を一体的に搬送させるように構成（供給搬送手段）しても良い。
【００６３】
この複数列搬送用の搬送路では、複数の列（本実施の形態では、２列）毎にシート１２Ａ、１２Ｂを独立して搬送させるための、搬送列独立搬送手段として、各列毎に対応する一対の搬送ローラ７４と一対の搬送ローラ７６とを同軸上に並べて配置する。
【００６４】
この一方のシート搬送用の列に対応した搬送ローラ７４は、その回転駆動軸７８の一方の端部が、図示しない制御装置で独立して駆動制御される第１駆動モータ装置８０の出力軸に一体的に接続され、回転駆動軸７８の他方の端部が回転軸受８２に支受された状態で配置されている。
【００６５】
また、他方のシート搬送用の列に対応した搬送ローラ７６は、その回転駆動軸８４の一方の端部が、図示しない制御装置で独立して駆動制御される第２駆動モータ装置８６の出力軸に一体的に接続され、回転駆動軸８４の他方の端部が回転軸受８２に支受された状態で配置されている。
【００６６】
また複数列搬送用の搬送路では、全列に渡る複数のシートを一体的に搬送させるための複数シート同時搬送手段としての、複数列搬送用の搬送路の全幅方向に対応した一対の搬送ローラ８８を配置する。
【００６７】
この搬送ローラ８８は、その回転駆動軸９０の一方の端部が、図示しない制御装置で独立して駆動制御される第３駆動モータ装置９２の出力軸に一体的に接続され、回転駆動軸９０の他方の端部が図示しない軸受に支受された状態で配置されている。
【００６８】
また、上述した多列搬送方式の搬送路上に配置したシート用カッタ装置では、搬送路上に、被切断媒体であるシート１２Ａ、１２Ｂの幅を検出する手段を配置し、これにより検出された被切断媒体の幅に対応して回転刃ヘッド２０を移動制御するカット幅制御手段を設けても良い。
【００６９】
さらに、多列搬送方式の搬送路上に配置したシート用カッタ装置では、多列搬送方式の搬送路上に設定される搬送列の総数未満の回転刃ヘッド（移動刃）を備えるように構成しても良い。
【００７０】
このシート用カッタ装置を装着する多列搬送方式の搬送路では、各列の間隔を回転刃ヘッド２０（回転刃ヘッド３４（又は６０））の長さ以上に設定する。
【００７１】
また、多列搬送方式の搬送路上に配置したシート用カッタ装置では、図示しないチルト補正手段を設けることにより、サーキュラカッタ１０が、搬送路上を搬送されて来た各シート１２Ａ又は１２Ｂのスキュー状態に合わせて、搬送方向に対して傾くよう調整するチルト補正処理をしてから切断処理を行うようにして、シート１２Ａ、１２Ｂを例えば直角に切断するときの切断精度を向上することができる。
【００７２】
このチルト補正手段を設ける場合には、多列搬送方式の各列の搬送路上に、被切断物であるシート１２Ａ又は１２Ｂのスキューを検出するために、前述した検出センサＳを、スキュー検出センサＳとして構成すれば良い。これと共に、サーキュラカッタ１０は、搬送路上を搬送されて来た各シート１２Ａ又は１２Ｂのスキュー状態に合わせるために、搬送方向に対して傾くように所要角回動調整するチルト補正処理を実行可能に構成する。さらにサーキュラカッタ１０は、図示しない制御部が検出センサＳを利用してシート１２Ａ又は１２Ｂのスキュー量を算出し、制御部がこれに対応するようにサーキュラカッタ１０をチルト駆動制御するよう構成する。
【００７３】
なお、この多列搬送方式の各列の搬送路上には、複数のサーキュラカッタ１０を搬送方向に並べて配置しても良い。
【００７４】
次に、上述のように構成した本実施の形態に係る、多列搬送方式の搬送路上に配置した単一のサーキュラカッタ１０で、複数列で搬送されて来るシート１２Ａ、１２Ｂを合理的に切断するための、複数列で搬送されるシートに対する切断操作方法について説明する。
【００７５】
まず、図１に示す多列搬送方式の搬送路により複数列で搬送されるシートに対し、片切りの回転刃ヘッド２０で切断する切断操作方法における、第１駆動モータ装置８０及び第２駆動モータ装置８６がそれぞれシート１２Ａ、１２Ｂを搬送方向上流側に所定量送り戻して回転刃ヘッド２０を通過させる余裕を作り出せる構成に係わる、切断操作方法について説明する。
【００７６】
この切断操作方法では、２列で搬送されるシート１２Ａ、１２Ｂを、シート１２Ａの長さをＡとし、シート１２Ｂの長さをＢとしたとき、Ａ＝Ｂの条件で切断する場合には、図６（Ａ）に示すように、第１駆動モータ装置８０と第２駆動モータ装置８６とを同期して駆動してシート１２Ａ、１２Ｂをそれぞれ同じ所定長さＡ＝Ｂだけ搬送することにより各々の切断線の位置をサーキュラカッタ１０の回転刃ヘッド２０の切断位置に合わせてから、初期位置にある回転刃ヘッド２０を切断完了位置まで連続して移動操作させることによりシート１２Ａ、１２Ｂを一気に切断する。
【００７７】
そして、切断完了位置にある回転刃ヘッド２０を初期位置に復帰動作させる場合には、図６（Ｂ）に示すように、第１駆動モータ装置８０と第２駆動モータ装置８６とを所定量逆転駆動させて切断前のシート１２Ａ、１２Ｂを搬送方向上流側に所定少量移動させ退避させる。これと共に、第３駆動モータ装置９２を駆動して切断後のシート１２Ａ、１２Ｂを搬送方向下流側に所定量以上移動させてから、回転刃ヘッド２０を初期位置に一気に復帰動作させる。
【００７８】
さらに、この切断操作方法では、２列で搬送されるシート１２Ａ、１２Ｂを、ｎＡ＝Ｂ（ｎは整数）の条件で切断する場合には、図７（Ａ）に示すように、第１駆動モータ装置８０と第２駆動モータ装置８６とを同期して駆動してシート１２Ａ、１２Ｂをそれぞれ同じ所定長さＡだけ搬送することにより、シート１２Ａの切断線の位置をサーキュラカッタ１０の回転刃ヘッド２０の切断位置に合わせてから、初期位置にある回転刃ヘッド２０を、所定の中間切断完了位置まで移動操作して、シート１２Ａだけを切断する。
【００７９】
そして、中間切断完了位置にある回転刃ヘッド２０を初期位置に復帰動作させる場合には、図７（Ｂ）に示すように、第１駆動モータ装置８０を所定量逆転駆動させて切断前のシート１２Ａを搬送方向上流側に所定少量移動させ退避させる。これと共に、第３駆動モータ装置９２を駆動して切断後のシート１２Ａと切断前のシート１２Ｂとを搬送方向下流側に所定量以上移動させてから、回転刃ヘッド２０を初期位置に復帰動作させる。
【００８０】
この後、図７（Ｃ）に示すように、第１駆動モータ装置８０と第２駆動モータ装置８６とをそれぞれ駆動制御してシート１２Ａ、１２Ｂをそれぞれ搬送することにより、シート１２Ａ、１２Ｂの各切断線の位置をサーキュラカッタ１０の回転刃ヘッド２０の切断位置に合わせてから、初期位置にある回転刃ヘッド２０を、図７（Ｃ）（Ｄ）に示すように切断完了位置まで連続して移動操作させることによりシート１２Ａ、１２Ｂを一気に切断する。
【００８１】
そして、切断完了位置にある回転刃ヘッド２０を初期位置に復帰動作させる場合には、図７（Ｅ）に示すように、第１駆動モータ装置８０と第２駆動モータ装置８６とを所定量逆転駆動させて切断前のシート１２Ａ、１２Ｂを搬送方向上流側に所定少量移動させ退避させる。これと共に、第３駆動モータ装置９２を駆動して切断後のシート１２Ａ、１２Ｂをそれぞれ搬送方向下流側に所定量以上移動させてから、回転刃ヘッド２０を初期位置に一気に復帰動作させる。
【００８２】
また、この切断操作方法では、２列で搬送されるシート１２Ａ、１２Ｂを、Ａ＜Ｂ≦３／２Ａの条件で切断する場合には、図７（Ａ）に示すように、第１駆動モータ装置８０と第２駆動モータ装置８６とを同期して駆動してシート１２Ａ、１２Ｂをそれぞれ同じ所定長さＡだけ搬送することにより、シート１２Ａの切断線の位置をサーキュラカッタ１０の回転刃ヘッド２０の切断位置に合わせてから、初期位置にある回転刃ヘッド２０を、所定の中間切断完了位置まで移動操作して、シート１２Ａだけを切断する。
【００８３】
さらに続けて、中間切断完了位置で回転刃ヘッド２０を待機させた状態で、図７（Ｄ）に示すように、第２駆動モータ装置８６を駆動制御してシート１２Ｂを搬送することにより、シート１２Ｂの切断線の位置をサーキュラカッタ１０の回転刃ヘッド２０の切断位置に合わせてから、中間切断完了位置で待機している回転刃ヘッド２０を切断完了位置まで移動操作させることによりシート１２Ｂを切断する。
【００８４】
そして、切断完了位置にある回転刃ヘッド２０を初期位置に復帰動作させる場合には、図７（Ｅ）に示すように、第１駆動モータ装置８０と第２駆動モータ装置８６とを所定量逆転駆動させて切断前のシート１２Ａ、１２Ｂを搬送方向上流側に所定少量移動させ退避させる。これと共に、第３駆動モータ装置９２を駆動して切断後のシート１２Ａ、１２Ｂをそれぞれ搬送方向下流側に所定量以上移動させてから、回転刃ヘッド２０を初期位置に一気に復帰動作させる。
【００８５】
さらにまた、この切断操作方法では、２列で搬送されるシート１２Ａ、１２Ｂを、３／２Ａ＜Ｂ＜２Ａの条件で切断する場合には、図８（Ａ）に示すように、第１駆動モータ装置８０と第２駆動モータ装置８６とを同期して駆動してシート１２Ａ、１２Ｂをそれぞれ同じ所定長さＡだけ搬送することにより、シート１２Ａの切断線の位置をサーキュラカッタ１０の回転刃ヘッド２０の切断位置に合わせてから、初期位置にある回転刃ヘッド２０を、所定の中間切断完了位置まで移動操作して、シート１２Ａだけを切断する。
【００８６】
そして、中間切断完了位置にある回転刃ヘッド２０を初期位置に復帰動作させる場合には、図８（Ｂ）に示すように、第１駆動モータ装置８０を所定量逆転駆動させて切断前のシート１２Ａを搬送方向上流側に所定少量移動させ退避させる。これと共に、第３駆動モータ装置９２を駆動して切断後のシート１２Ａと切断前のシート１２Ｂとを搬送方向下流側に所定量以上移動させてから、回転刃ヘッド２０を初期位置に復帰動作させる。
【００８７】
この後、図８（Ｃ）に示すように、第１駆動モータ装置８０と第２駆動モータ装置８６とをそれぞれ駆動制御してシート１２Ａ、１２Ｂをそれぞれ搬送することによりシート１２Ａの切断線の位置をサーキュラカッタ１０の回転刃ヘッド２０の切断位置に合わせてから、初期位置にある回転刃ヘッド２０を、所定の中間切断完了位置まで移動操作して、シート１２Ａだけを切断する。
【００８８】
さらに続けて、中間切断完了位置で回転刃ヘッド２０を待機させた状態で、図８（Ｄ）に示すように、第２駆動モータ装置８６を駆動制御してシート１２Ｂを搬送することにより、シート１２Ｂの切断線の位置をサーキュラカッタ１０の回転刃ヘッド２０の切断位置に合わせてから、中間切断完了位置で待機している回転刃ヘッド２０を切断完了位置まで移動操作させることによりシート１２Ｂを切断する。
【００８９】
そして、切断完了位置にある回転刃ヘッド２０を初期位置に復帰動作させる場合には、図８（Ｅ）に示すように、第１駆動モータ装置８０と第２駆動モータ装置８６とを所定量逆転駆動させて切断前のシート１２Ａ、１２Ｂを搬送方向上流側に所定少量移動させ退避させる。これと共に、第３駆動モータ装置９２を駆動して切断後のシート１２Ａ、１２Ｂをそれぞれ搬送方向下流側に所定量以上移動させてから、回転刃ヘッド２０を初期位置に一気に復帰動作させる。
【００９０】
次に、図１に示す多列搬送方式の搬送路により複数列で搬送されるシートに対し、片切りの回転刃ヘッド２０で切断する切断操作方法における、第１駆動モータ装置８０及び第２駆動モータ装置８６がシート１２Ａ、１２Ｂを搬送方向上流側に送り戻す動作を省略した構成に係わる、切断操作方法について説明する。
【００９１】
この切断操作方法では、２列で搬送されるシート１２Ａ、１２Ｂを、シート１２Ａの長さをＡとし、シート１２Ｂの長さをＢとしたとき、Ａ＝Ｂの条件で切断する場合には、図９（Ａ）に示すように、第１駆動モータ装置８０と第２駆動モータ装置８６とを同期して駆動してシート１２Ａ、１２Ｂをそれぞれ同じ所定長さＡ＝Ｂだけ搬送することにより各々の切断線の位置をサーキュラカッタ１０の回転刃ヘッド２０の切断位置に合わせてから、初期位置にある回転刃ヘッド２０を切断完了位置まで連続して移動操作させることによりシート１２Ａ、１２Ｂを一気に切断する。
【００９２】
そして、切断完了位置にある回転刃ヘッド２０を初期位置に復帰動作させる場合には、図９（Ｂ）に示すように、切断前のシート１２Ａ、１２Ｂを切断直後の位置に停止させたままの状態で、第３駆動モータ装置９２を駆動して切断後のシート１２Ａ、１２Ｂを搬送方向下流側に所定量以上移動させてから、回転刃ヘッド２０を初期位置に一気に復帰動作させる。
【００９３】
なお、第１駆動モータ装置８０及び第２駆動モータ装置８６がシート１２Ａ、１２Ｂを搬送方向上流側に送り戻す動作を省略した構成に係わる切断操作方法では、上述した図９（Ｂ）に示す如く、切断前のシート１２Ａ、１２Ｂを切断直後の位置に停止させたままの状態で回転刃ヘッド２０を初期位置に復帰動作させること以外の切断操作が、前述した図７及び図８に基づいて説明した各切断操作の動作と同様なので、その説明を省略する。
【００９４】
次に、図５に示す多列搬送方式の搬送路により複数列で搬送されるシートに対し、片切りの回転刃ヘッド２０で切断する切断操作方法における、第３駆動モータ装置９２がそれぞれシート１２Ａ、１２Ｂを搬送方向上流側に所定量送り戻して回転刃ヘッド２０を通過させる余裕を作り出せる構成に係わる、切断操作方法について説明する。
【００９５】
この切断操作方法では、２列で搬送されるシート１２Ａ、１２Ｂを、シート１２Ａの長さをＡとし、シート１２Ｂの長さをＢとしたとき、Ａ＝Ｂの条件で、シート１２Ａがシート１２Ｂより先行して搬送されている条件で切断する場合には、図１０（Ａ）に示すように、第３駆動モータ装置９２を駆動してシート１２Ａ、１２Ｂを長さＡだけ搬送することによりシート１２Ａの切断線の位置をサーキュラカッタ１０の回転刃ヘッド２０の切断位置に合わせてから、初期位置にある回転刃ヘッド２０を所定の中間切断完了位置まで移動操作して、シート１２Ａだけを切断する。
【００９６】
さらに続けて、中間切断完了位置で回転刃ヘッド２０を待機させた状態で、図１０（Ｂ）に示すように、第３駆動モータ装置９２を駆動制御してシート１２Ｂを搬送することにより、シート１２Ｂの切断線の位置をサーキュラカッタ１０の回転刃ヘッド２０の切断位置に合わせてから、中間切断完了位置で待機している回転刃ヘッド２０を切断完了位置まで移動操作させることによりシート１２Ｂを切断する。
【００９７】
そして、切断完了位置にある回転刃ヘッド２０を初期位置に復帰動作させる場合には、図１０（Ｃ）に示すように、第３駆動モータ装置９２を所定量逆転駆動して切断前のシート１２Ａ、１２Ｂを搬送方向上流側に所定少量移動させ退避させる。これと共に、第１駆動モータ装置８０と第２駆動モータ装置８６とを駆動させて切断後のシート１２Ａ、１２Ｂを搬送方向下流側に所定量以上移動させてから、回転刃ヘッド２０を初期位置に一気に復帰動作させる。
【００９８】
さらに、この切断操作方法では、２列で搬送されるシート１２Ａ、１２Ｂを、ｎＡ＝Ｂ（ｎは整数）の条件で切断する場合には、図１１（Ａ）に示すように、第３駆動モータ装置９２を駆動してシート１２Ａ、１２Ｂを所定長さＡだけ搬送することにより、シート１２Ａの切断線の位置をサーキュラカッタ１０の回転刃ヘッド２０の切断位置に合わせてから、初期位置にある回転刃ヘッド２０を、所定の中間切断完了位置まで移動操作して、シート１２Ａだけを切断する。
【００９９】
そして、中間切断完了位置にある回転刃ヘッド２０を初期位置に復帰動作させる場合には、図１１（Ｂ）に示すように、第３駆動モータ装置９２を所定量逆転駆動させて切断前のシート１２Ａを搬送方向上流側に所定少量移動させ退避させる。これと共に、第１駆動モータ装置８０を駆動して切断後のシート１２Ａを搬送方向下流側に所定量以上移動させてから、回転刃ヘッド２０を初期位置に復帰動作させる。
【０１００】
この後、図１１（Ｃ）に示すように、第３駆動モータ装置９２を駆動制御してシート１２Ａ、１２Ｂを搬送することにより、シート１２Ａの切断線の位置をサーキュラカッタ１０の回転刃ヘッド２０の切断位置に合わせてから、初期位置にある回転刃ヘッド２０を、所定の中間切断完了位置まで移動操作して、シート１２Ａだけを切断する。
【０１０１】
さらに続けて、中間切断完了位置で回転刃ヘッド２０を待機させた状態で、図１１（Ｄ）に示すように、第３駆動モータ装置９２を駆動制御してシート１２Ｂを搬送することにより、シート１２Ｂの切断線の位置をサーキュラカッタ１０の回転刃ヘッド２０の切断位置に合わせてから、中間切断完了位置で待機している回転刃ヘッド２０を切断完了位置まで移動操作させることによりシート１２Ｂを切断する。
【０１０２】
そして、切断完了位置にある回転刃ヘッド２０を初期位置に復帰動作させる場合には、図１１（Ｅ）に示すように、第３駆動モータ装置９２を所定量逆転駆動して切断前のシート１２Ａ、１２Ｂを搬送方向上流側に所定少量移動させ退避させる。これと共に、第１駆動モータ装置８０と第２駆動モータ装置８６とを駆動させて切断後のシート１２Ａ、１２Ｂを搬送方向下流側に所定量以上移動させてから、回転刃ヘッド２０を初期位置に一気に復帰動作させる。
【０１０３】
また、この切断操作方法において、２列で搬送されるシート１２Ａ、１２Ｂを、Ａ＜Ｂ≦３／２Ａの条件で切断する場合には、前述した図１０により説明したＡ＝Ｂの条件で切断操作するときの動作と同様なので、その説明を省略する。
【０１０４】
さらに、この切断操作方法において、２列で搬送されるシート１２Ａ、１２Ｂを、３／２Ａ＜Ｂ＜２Ａの条件で切断する場合には、前述した図１１により説明したｎＡ＝Ｂ（ｎは整数）の条件で切断操作するときの動作と同様なので、その説明を省略する。
【０１０５】
次に、図５に示す多列搬送方式の搬送路により複数列で搬送されるシートに対し、片切りの回転刃ヘッド２０で切断する切断操作方法における、第３駆動モータ装置９２がシート１２Ａ、１２Ｂを搬送方向上流側に送り戻す動作を省略した構成に係わる、切断操作方法について説明する。
【０１０６】
この第３駆動モータ装置９２がシート１２Ａ、１２Ｂを搬送方向上流側に送り戻す動作を省略した構成に係わる切断操作方法では、切断前のシート１２Ａ、１２Ｂを切断直後の位置に停止させたままの状態で回転刃ヘッド２０を初期位置に復帰動作させること以外の切断操作が、前述した図１０及び図１１に基づいて説明した各切断操作の動作と同様となる。
【０１０７】
次に、図１に示す多列搬送方式の搬送路により複数列で搬送されるシートに対し、両切り（往復共切断可能なもの）の回転刃ヘッド３４（又は回転刃ヘッド本体６０）で切断する切断操作方法について説明する。
【０１０８】
この切断操作方法では、２列で搬送されるシート１２Ａ、１２Ｂを、シート１２Ａの長さをＡとし、シート１２Ｂの長さをＢとしたとき、Ａ＝Ｂの条件で切断する場合には、図１２（Ａ）に示すように、第１駆動モータ装置８０と第２駆動モータ装置８６とを同期して駆動してシート１２Ａ、１２Ｂをそれぞれ同じ所定長さＡ＝Ｂだけ搬送することにより各々の切断線の位置をサーキュラカッタ１０の回転刃ヘッド３４（又は回転刃ヘッド本体６０）の切断位置に合わせてから、初期位置にある回転刃ヘッド３４（又は回転刃ヘッド本体６０）を切断完了位置まで連続して移動操作させることによりシート１２Ａ、１２Ｂを一気に切断する。
【０１０９】
この後、切断完了位置にある回転刃ヘッド３４（又は回転刃ヘッド本体６０）を待機させた状態で、図１２（Ｂ）に示すように、第１駆動モータ装置８０と第２駆動モータ装置８６とを同期して駆動してシート１２Ａ、１２Ｂをそれぞれ同じ所定長さＡ＝Ｂだけ搬送することにより各々の切断線の位置をサーキュラカッタ１０の回転刃ヘッド３４（又は回転刃ヘッド本体６０）の切断位置に合わせる。そして、切断完了位置で待機している回転刃ヘッド３４（又は回転刃ヘッド本体６０）を初期位置まで連続して移動操作させることによりシート１２Ａ、１２Ｂを一気に切断する。
【０１１０】
さらに、この切断操作方法では、２列で搬送されるシート１２Ａ、１２Ｂを、ｎＡ＝Ｂ（ｎは整数）の条件で切断する場合には、図１３（Ａ）に示すように、第１駆動モータ装置８０と第２駆動モータ装置８６とを同期して駆動してシート１２Ａ、１２Ｂをそれぞれ同じ所定長さＡだけ搬送することにより、シート１２Ａの切断線の位置をサーキュラカッタ１０の回転刃ヘッド３４（又は回転刃ヘッド本体６０）の切断位置に合わせてから、初期位置にある回転刃ヘッド３４（又は６０）を、所定の中間切断完了位置まで移動操作して、シート１２Ａだけを切断する。そして、中間切断完了位置にある回転刃ヘッド３４（又は６０）を初期位置に復帰動作させる。
【０１１１】
この後、図１３（Ｃ）に示すように、第１駆動モータ装置８０と第２駆動モータ装置８６とをそれぞれ駆動制御してシート１２Ａ、１２Ｂをそれぞれ搬送することにより、シート１２Ａ、１２Ｂの各切断線の位置をサーキュラカッタ１０の回転刃ヘッド３４（又は６０）の切断位置に合わせてから、初期位置にある回転刃ヘッド２０を、図１３（Ｃ）に示すように切断完了位置まで連続して移動操作させることによりシート１２Ａ、１２Ｂを一気に切断する。そして、切断完了位置にある回転刃ヘッド２０を初期位置に復帰動作させる。
【０１１２】
また、この切断操作方法では、２列で搬送されるシート１２Ａ、１２Ｂを、Ａ＜Ｂ≦３／２Ａの条件で切断する場合には、図１４（Ａ）に示すように、第１駆動モータ装置８０と第２駆動モータ装置８６とを同期して駆動してシート１２Ａ、１２Ｂをそれぞれ同じ所定長さＡだけ搬送することにより、シート１２Ａの切断線の位置をサーキュラカッタ１０の回転刃ヘッド３４（又は６０）の切断位置に合わせてから、初期位置にある回転刃ヘッド２０を、所定の中間切断完了位置まで移動操作して、シート１２Ａだけを切断する。
【０１１３】
さらに続けて、中間切断完了位置で回転刃ヘッド３４（又は６０）を待機させた状態で、図１４（Ｂ）に示すように、第２駆動モータ装置８６を駆動制御してシート１２Ｂを搬送することにより、シート１２Ｂの切断線の位置をサーキュラカッタ１０の回転刃ヘッド３４（又は６０）の切断位置に合わせてから、中間切断完了位置で待機している回転刃ヘッド３４（又は６０）を切断完了位置まで移動操作させることによりシート１２Ｂを切断する。
【０１１４】
この後、切断完了位置で回転刃ヘッド３４（又は６０）を待機させた状態で、図１４（Ｃ）に示すように、第１駆動モータ装置８０と第２駆動モータ装置８６とをそれぞれ駆動制御して各シート１２Ａ、１２Ｂをそれぞれ搬送することにより各々の切断線の位置をサーキュラカッタ１０の回転刃ヘッド３４（又は回転刃ヘッド本体６０）の切断位置に合わせる。そして、切断完了位置で待機している回転刃ヘッド３４（又は回転刃ヘッド本体６０）を初期位置まで連続して移動操作させることによりシート１２Ａ、１２Ｂを一気に切断する。
【０１１５】
さらにこの切断操作方法では、２列で搬送されるシート１２Ａ、１２Ｂを、３／２Ａ＜Ｂ＜２Ａの条件で切断する場合には、前述した図１３（Ａ）と同様に、第１駆動モータ装置８０と第２駆動モータ装置８６とを同期して駆動してシート１２Ａ、１２Ｂをそれぞれ同じ所定長さＡだけ搬送することにより、シート１２Ａの切断線の位置をサーキュラカッタ１０の回転刃ヘッド３４（又は６０）の切断位置に合わせてから、初期位置にある回転刃ヘッド３４（又は６０）を、所定の中間切断完了位置まで移動操作して、シート１２Ａだけを切断する。
【０１１６】
そして、中間切断完了位置にある回転刃ヘッド３４（又は６０）を初期位置に復帰動作させる場合には、前述した図１３（Ａ）と同様に、そのまま回転刃ヘッド３４（又は６０）を初期位置に復帰動作させる。
【０１１７】
この後、図１５（Ａ）に示すように、第１駆動モータ装置８０と第２駆動モータ装置８６とをそれぞれ駆動制御してシート１２Ａ、１２Ｂをそれぞれ搬送することによりシート１２Ａの切断線の位置をサーキュラカッタ１０の回転刃ヘッド３４（又は６０）の切断位置に合わせてから、初期位置にある回転刃ヘッド３４（又は６０）を、所定の中間切断完了位置まで移動操作して、シート１２Ａだけを切断する。
【０１１８】
さらに続けて、中間切断完了位置で回転刃ヘッド２０を待機させた状態で、図１５（Ｂ）に示すように、第２駆動モータ装置８６を逆転させるように駆動制御してシート１２Ｂを逆送することにより、シート１２Ｂの切断線の位置をサーキュラカッタ１０の回転刃ヘッド３４（又は６０）の切断位置に合わせてから、中間切断完了位置で待機している回転刃ヘッド３４（又は６０）を切断完了位置まで移動操作させることによりシート１２Ｂを切断する。
【０１１９】
次に、図５に示す多列搬送方式の搬送路により複数列で搬送されるシートに対し、両切り（往復共切断可能なもの）の回転刃ヘッド３４（又は回転刃ヘッド本体６０）で切断する切断操作方法について説明する。
【０１２０】
この切断操作方法では、２列で搬送されるシート１２Ａ、１２Ｂを、シート１２Ａの長さをＡとし、シート１２Ｂの長さをＢとしたとき、Ａ＝Ｂの条件で、かつシート１２Ａがシート１２Ｂより先行して搬送されている条件で切断する場合には、図１６（Ａ）に示すように、第３駆動モータ装置９２を駆動してシート１２Ａ、１２Ｂを長さＡだけ搬送することによりシート１２Ａの切断線の位置をサーキュラカッタ１０の回転刃ヘッド３４（又は６０）の切断位置に合わせてから、初期位置にある回転刃ヘッド３４（又は６０）を所定の中間切断完了位置まで移動操作して、シート１２Ａだけを切断する。
【０１２１】
さらに続けて、中間切断完了位置で回転刃ヘッド３４（又は６０）を待機させた状態で、図１６（Ｂ）に示すように、第３駆動モータ装置９２を駆動制御してシート１２Ｂを搬送することにより、シート１２Ｂの切断線の位置をサーキュラカッタ１０の回転刃ヘッド３４（又は６０）の切断位置に合わせてから、中間切断完了位置で待機している回転刃ヘッド３４（又は６０）を切断完了位置まで移動操作させることによりシート１２Ｂを切断する。
【０１２２】
この後、切断完了位置で回転刃ヘッド３４（又は６０）を待機させた状態で、図１６（Ｃ）に示すように、第３駆動モータ装置９２を駆動制御してシート１２Ｂを搬送することにより、シート１２Ｂの切断線の位置をサーキュラカッタ１０の回転刃ヘッド３４（又は６０）の切断位置に合わせてから、切断完了位置で待機している回転刃ヘッド３４（又は６０）を中間切断完了位置まで移動操作させることによりシート１２Ｂだけを切断する。
【０１２３】
さらに続けて、中間切断完了位置で回転刃ヘッド３４（又は６０）を待機させた状態で、図１６（Ｄ）に示すように、第３駆動モータ装置９２を駆動制御してシート１２Ａを搬送することにより、シート１２Ａの切断線の位置をサーキュラカッタ１０の回転刃ヘッド３４（又は６０）の切断位置に合わせてから、中間切断完了位置で待機している回転刃ヘッド３４（又は６０）を初期位置まで移動操作させることによりシート１２Ａを切断する。
【０１２４】
さらに、この切断操作方法では、２列で搬送されるシート１２Ａ、１２Ｂを、ｎＡ＝Ｂ（ｎは整数）の条件で切断する場合には、図１７（Ａ）に示すように、第３駆動モータ装置９２を駆動してシート１２Ａ、１２Ｂを所定長さＡだけ搬送することにより、シート１２Ａの切断線の位置をサーキュラカッタ１０の回転刃ヘッド３４（又は６０）の切断位置に合わせてから、初期位置にある回転刃ヘッド２０を、所定の中間切断完了位置まで移動操作して、シート１２Ａだけを切断する。そして、中間切断完了位置にある回転刃ヘッド３４（又は６０）を初期位置に復帰動作させる。
【０１２５】
この後、図１７（Ｃ）に示すように、第３駆動モータ装置９２を駆動制御してシート１２Ａ、１２Ｂを搬送することにより、シート１２Ａの切断線の位置をサーキュラカッタ１０の回転刃ヘッド３４（又は６０）の切断位置に合わせてから、初期位置にある回転刃ヘッド２０を、所定の中間切断完了位置まで移動操作して、シート１２Ａだけを切断する。
【０１２６】
さらに続けて、中間切断完了位置で回転刃ヘッド３４（又は６０）を待機させた状態で、図１７（Ｄ）に示すように、第３駆動モータ装置９２を駆動制御してシート１２Ｂを搬送することにより、シート１２Ｂの切断線の位置をサーキュラカッタ１０の回転刃ヘッド３４（又は６０）の切断位置に合わせてから、中間切断完了位置で待機している回転刃ヘッド３４（又は６０）を切断完了位置まで移動操作させることによりシート１２Ｂを切断する。
【０１２７】
また、この切断操作方法において、２列で搬送されるシート１２Ａ、１２Ｂを、Ａ＜Ｂ≦３／２Ａの条件で切断する場合には、前述した図１６により説明したＡ＝Ｂの条件で切断操作するときの動作と同様なので、その説明を省略する。
【０１２８】
さらに、この切断操作方法において、２列で搬送されるシート１２Ａ、１２Ｂを、３／２Ａ＜Ｂ＜２Ａの条件で切断する場合には、前述した図１７により説明したｎＡ＝Ｂ（ｎは整数）の条件で切断操作するときの動作と同様なので、その説明を省略する。
【０１２９】
次に、図１８に示す多列搬送方式の搬送路により複数列で搬送されるシートに対し、単一のサーキュラカッタ１０における両切り（往復共切断可能なもの）の回転刃ヘッド３４（又は回転刃ヘッド本体６０）で切断する切断操作方法について説明する。
【０１３０】
この図１８に示す多列搬送方式の搬送路では、サーキュラカッタ１０を配置した位置から搬送方向下流側の部分で、全列を一体的に搬送させるように構成し、かつサーキュラカッタ１０を配置した位置から搬送方向上流側の部分で、全列を一体的に搬送させるように構成する。
【０１３１】
すなわち、この多列搬送方式の搬送路では、サーキュラカッタ１０の搬送方向上流側と下流側とに、それぞれ複数列搬送用の搬送路の全幅方向に対応した一対の搬送ローラ８８Ａ、８８Ｂを配置する。これら搬送ローラ８８Ａ、８８Ｂは、各回転駆動軸９０Ａ、９０Ｂに各々対応する駆動モータ装置９２Ａ、９２Ｂに接続されている。そして、図示しない制御装置で各駆動モータ装置９２Ａ、９２Ｂを独立して駆動制御することにより、各搬送ローラ８８Ａ、８８Ｂは、独立して回転駆動される。
【０１３２】
この図１８に示す多列搬送方式の搬送路に配置されたサーキュラカッタ１０に係わる切断操作方法では、２列で搬送されるシート１２Ａ、１２Ｂを、図１８（Ａ）に示すように、駆動モータ装置９２Ａ、９２Ｂを駆動してシート１２Ａ、１２Ｂを所要長さだけ搬送することによりシート１２Ａの切断線の位置をサーキュラカッタ１０の回転刃ヘッド３４（又は６０）の切断位置に合わせてから、初期位置にある回転刃ヘッド３４（又は６０）を所定の中間切断完了位置まで移動操作して、シート１２Ａだけを切断する。
【０１３３】
さらに続けて、中間切断完了位置で回転刃ヘッド３４（又は６０）を待機させた状態で、図１８（Ｂ）に示すように、駆動モータ装置９２Ａ、９２Ｂを駆動制御してシート１２Ａ、１２Ｂを搬送することにより、シート１２Ａの切断線の位置をサーキュラカッタ１０の回転刃ヘッド３４（又は６０）の切断位置に合わせてから、中間切断完了位置で待機している回転刃ヘッド３４（又は６０）を初期位置まで移動操作させることによりシート１２Ａの他の位置を切断する。
【０１３４】
この後、初期位置で回転刃ヘッド３４（又は６０）を待機させた状態で、図１８（Ｃ）に示すように、駆動モータ装置９２Ａ、９２Ｂを駆動制御してシート１２Ａ、１２Ｂを所要長さだけ搬送することによりシート１２Ａの切断線の位置をサーキュラカッタ１０の回転刃ヘッド３４（又は６０）の切断位置に合わせてから、初期位置にある回転刃ヘッド３４（又は６０）を所定の中間切断完了位置まで移動操作して、シート１２Ａだけを切断する。
【０１３５】
さらに続けて、中間切断完了位置で回転刃ヘッド３４（又は６０）を待機させた状態で、図１８（Ｃ）に示すように、駆動モータ装置９２Ａ、９２Ｂを駆動制御してシート１２Ａ、１２Ｂを搬送することにより、シート１２Ｂの切断線の位置をサーキュラカッタ１０の回転刃ヘッド３４（又は６０）の切断位置に合わせてから、中間切断完了位置で待機している回転刃ヘッド３４（又は６０）を切断完了位置まで移動操作させることによりシート１２Ｂを切断する。
【０１３６】
この図１８に示す多列搬送方式の搬送路に配置されたサーキュラカッタ１０に係わる切断操作方法では、上述のような切断操作動作を適宜に組み合わせることにより、種々の態様で搬送されて来るシート１２Ａ、１２Ｂに対して、それぞれの所定切断位置で切断処理する作業を実行可能である。
【０１３７】
なお、上述した実施の形態では、多列搬送方式の搬送路上で２列で搬送されて来るシートをサーキュラカッタで切断するものについて説明したが、多列搬送方式の搬送路上で３列以上の複数列で搬送されて来る複数のシートをサーキュラカッタで切断するように構成しても良いことは勿論である。
【０１３８】
また、本実施の形態に係わるシート用カッタ装置では、多列搬送方式の搬送路の列毎に同サイズ（搬送方向長さが同一）又は異なるサイズに切断でき、しかも多列搬送方式の単一の搬送路幅に合う狭幅サイズのシートをそれぞれサーキュラカッタで切断するばかりでなく、多列搬送方式の複数の搬送路に渡る広幅サイズのシートを単一のサーキュラカッタで切断できるので、合理的な切断処理が可能である。さらに、サーキュラカッタで切断されたシートの切断長（切断されたシートの搬送方向の長さ）の精度を高めることもできる。
【０１３９】
さらに、本発明のシート用カッタ装置では、被処理物としてのシートが、感光材料、インクジェットプリンタ用の用紙等であっても良い。また、このシート用カッタ装置は、画像形成装置本体と別体に構成し、画像形成装置本体で画像が形成された感光材料等を排出する出口位置に配置して、画像形成装置本体で画像が形成された感光材料等を画像形成装置本体から感光材料等が排出される出口で切断するように用いても良い。
【０１４０】
なお、本実施の形態に係るシート用カッタ装置は、これを例えば画像形成装置本体に装着して利用する場合において、複数の画像を一枚のシートに形成してこれを各画像の部分毎に切り分けることに使用し、又は淵無しプリントを作成することにも利用できる。このような場合には、画像形成装置本体内に、シート用カッタ装置で切断した切り屑（各画像の間部分の細長い不要な部分や余白の部分）を受けて収納する屑箱を配置すると良い。
【０１４１】
【発明の効果】
以上説明したように本発明のシート用カッタ装置によれば、多列搬送方式の簡素な構成の搬送路上を複数の列をなして搬送されて来るシートを、単一のカッタで良好に切断処理できるという効果がある。
【図面の簡単な説明】
【図１】本発明の実施の形態に係る、多列搬送方式の搬送路上に配置されたシート用カッタ装置の部分を示す要部斜視図である。
【図２】本発明の実施の形態に係るシート用カッタ装置に用いる両切り（往復共切断可能なもの）の回転刃ヘッド操作装置を示す要部正面図である。
【図３】本発明の実施の形態に係るシート用カッタ装置に用いる両切り（往復共切断可能なもの）の回転刃ヘッド操作装置を一部断面で示す要部平面図である。
【図４】本発明の実施の形態に係るシート用カッタ装置に用いる、両切り（往復共切断可能なもの）の回転刃ヘッドにおける他の構成例の要部を示す概略平面図である。
【図５】本発明の実施の形態に係る、多列搬送方式の搬送路上に配置されたシート用カッタ装置における他の構成例を示す要部斜視図である。
【図６】（Ａ）及び（Ｂ）は、本発明の実施の形態に係る、多列搬送方式の搬送路上に配置された片切りのシート用カッタ装置による切断操作の態様を示す概略平面図である。
【図７】（Ａ）乃至（Ｅ）は、本発明の実施の形態に係る、多列搬送方式の搬送路上に配置された片切りのシート用カッタ装置による切断操作の態様を示す概略平面図である。
【図８】（Ａ）乃至（Ｅ）は、本発明の実施の形態に係る、多列搬送方式の搬送路上に配置された片切りのシート用カッタ装置による切断操作の態様を示す概略平面図である。
【図９】（Ａ）及び（Ｂ）は、本発明の実施の形態に係る、多列搬送方式の搬送路上に配置された片切りのシート用カッタ装置による切断操作の態様を示す概略平面図である。
【図１０】（Ａ）乃至（Ｃ）は、本発明の実施の形態に係る、多列搬送方式の搬送路上に配置された片切りのシート用カッタ装置による切断操作の態様を示す概略平面図である。
【図１１】（Ａ）乃至（Ｅ）は、本発明の実施の形態に係る、多列搬送方式の搬送路上に配置された片切りのシート用カッタ装置による切断操作の態様を示す概略平面図である。
【図１２】（Ａ）及び（Ｂ）は、本発明の実施の形態に係る、多列搬送方式の搬送路上に配置された両切り（往復共切断可能なもの）のシート用カッタ装置による切断操作の態様を示す概略平面図である。
【図１３】（Ａ）乃至（Ｃ）は、本発明の実施の形態に係る、多列搬送方式の搬送路上に配置された両切り（往復共切断可能なもの）のシート用カッタ装置による切断操作の態様を示す概略平面図である。
【図１４】（Ａ）乃至（Ｃ）は、本発明の実施の形態に係る、多列搬送方式の搬送路上に配置された両切り（往復共切断可能なもの）のシート用カッタ装置による切断操作の態様を示す概略平面図である。
【図１５】（Ａ）及び（Ｂ）は、本発明の実施の形態に係る、多列搬送方式の搬送路上に配置された両切り（往復共切断可能なもの）のシート用カッタ装置による切断操作の態様を示す概略平面図である。
【図１６】（Ａ）乃至（Ｄ）は、本発明の実施の形態に係る、多列搬送方式の搬送路上に配置された両切り（往復共切断可能なもの）のシート用カッタ装置による切断操作の態様を示す概略平面図である。
【図１７】（Ａ）乃至（Ｄ）は、本発明の実施の形態に係る、多列搬送方式の搬送路上に配置された両切り（往復共切断可能なもの）のシート用カッタ装置による切断操作の態様を示す概略平面図である。
【図１８】（Ａ）乃至（Ｃ）は、本発明の実施の形態に係る、全列を一体的に搬送させるようにした多列搬送方式の搬送路上に配置された両切り（往復共切断可能なもの）のシート用カッタ装置による切断操作の態様を示す概略平面図である。
【符号の説明】
１０  サーキュラカッタ
１２Ａ        シート
１２Ｂ        シート
１４  固定刃部
１６  ガイドレール部
２０  回転刃ヘッド
２６  ベルト操作装置
３２  回転刃
３４  回転刃ヘッド
３６  回転刃ヘッド操作装置
３８  ガイド部材
５２  刃物部材
５６  回転刃
５８  回転刃
６０  回転刃ヘッド本体
７４  搬送ローラ
７６  搬送ローラ
８０  第１駆動モータ装置
８６  第２駆動モータ装置
８８  搬送ローラ
９２  第３駆動モータ装置
９２Ａ        駆動モータ装置
９２Ｂ        駆動モータ装置
【図１】
2005028500.tif 000003
【図２】
2005028500.tif 000004
【図３】
2005028500.tif 000005
【図４】
2005028500.tif 000006
【図５】
2005028500.tif 000007
【図６】
2005028500.tif 000008
【図７】
2005028500.tif 000009
【図８】
2005028500.tif 000010
【図９】
2005028500.tif 000011
【図１０】
2005028500.tif 000012
【図１１】
2005028500.tif 000013
【図１２】
2005028500.tif 000014
【図１３】
2005028500.tif 000015
【図１４】
2005028500.tif 000016
【図１５】
2005028500.tif 000017
【図１６】
2005028500.tif 000018
【図１７】
2005028500.tif 000019
【図１８】
2005028500.tif 000020